(57)【特許請求の範囲】
【請求項１】
板状であり、一方の面に太陽電池を備える電源装置と、
シート状であり、前記電源装置の側面に端部を固定されたシート部と、
前記シート部の少なくとも一方の面に設けられた粘着領域と、
前記太陽電池を備える面の裏面に設けられ、前記太陽電池により発電された電力により発光する発光体と
を備え、
前記シート部は、前記電源装置の側面のうち、対向する位置にある２つの側面にそれぞれに配置され、
前記粘着領域は、前記シート部のうち、前記太陽電池の備える面と同じ面側に配置され、
前記電源装置は、
前記シート部に配置され、該シート部のうち前記太陽電池の備える面と同じ面側に配置された第２の太陽電池
をさらに備え、
前記粘着領域は、前記シート部の周縁の少なくとも一部に配置され、
前記シート部は、袋状であり、
前記シート部の少なくとも一方の面における少なくとも一部が透光性のある領域である第２透光性領域
をさらに有し、
前記第２透光性領域は、前記シート部の内部に収納した前記第２の太陽電池側に配置されている
発電装置。
【請求項２】
板状であり、一方の面に太陽電池を備える電源装置と、
シート状であり、前記電源装置の側面に端部を固定されたシート部と、
前記シート部の少なくとも一方の面に設けられた粘着領域と、
前記太陽電池を備える面の裏面に設けられ、前記太陽電池により発電された電力により発光する発光体と
を備え、
前記シート部は、前記電源装置の側面のうち、対向する位置にある２つの側面にそれぞれに配置され、
前記粘着領域は、前記シート部のうち、前記太陽電池の備える面と同じ面側に配置されている
前記シート部は、
前記粘着領域を備える面の裏面側に、粘着性の異なる第２の粘着領域
をさらに備え、
前記粘着領域、及び、前記第２の粘着領域は、再粘着と再剥離とが可能な粘着力を備え、
前記粘着領域、または、前記第２の粘着領域のうち、前記発光体を備える面側に配置された前記第２の粘着領域の粘着性が高い
発電装置。
【請求項３】
前記シート部は、前記電源装置の幅の０．５倍から２倍の大きさに形成されている
請求項２に記載の発電装置。
【請求項４】
前記シート部に設けられ、該シート部を端部で折り返した状態で着脱自在に固定する係止部と、
前記シート部に設けられ、前記発電装置を既定の位置に取り付ける取付部と
を有する
請求項１に記載の発電装置。
【請求項５】
板状であり、一方の面に太陽電池と、前記太陽電池を備える面の裏面に前記太陽電池により発電された電力により発光する発光体とを備える電源装置と、前記電源装置の対向する位置にある側面それぞれに端部を固定されたシート部と、前記シート部の一方の面に設けられた粘着領域と、前記粘着領域を備える面の裏面側に第２の粘着領域とを有する発電装置における、前記太陽電池を備える面が受光するよう該粘着領域または該第２の粘着領域のどちらか一方を設置面に粘着固定させるステップと、
粘着固定した前記発電装置を裏返し、粘着固定した領域の裏面側にある領域を前記設置面に再び粘着固定させるステップと
を有する照明方法。
【発明の詳細な説明】
【技術分野】
【０００１】
本発明は、発電装置、固定具、及び、照明方法に関する。
【背景技術】
【０００２】
例えば、特許文献１には、器具本体を、電源部と該電源部に接続した薄厚の発光板とからなるエレクトロルミネッセントランプから形成し、上記器具本体に取付部を設け、該取付部を介して器具本体の全体又は一部を任意の箇所に取付自在としてなることを特徴とする携帯用照明具が開示されている。
【０００３】
また、特許文献２には、ＥＬ板の発光面に、集光性を有する集光膜と、吸着性又は粘着性を有する吸粘着膜とを備えたことを特徴とする光源装置が開示されている。
【先行技術文献】
【特許文献】
【０００４】
【特許文献１】特開平９−１６１５０１号公報
【特許文献２】特開平７−１４６７６号公報
【発明の概要】
【発明が解決しようとする課題】
【０００５】
本発明は、再粘着及び再剥離可能に固定することができる発電装置を提供することを目的とする。
【課題を解決するための手段】
【０００６】
本発明に係る発電装置は、板状であり、一方の面に太陽電池を備える電源装置と、シート状であり、前記電源装置の側面に端部を固定されたシート部と、前記シート部の少なくとも一方の面に設けられた粘着領域とを有する。
【０００７】
好適には、前記太陽電池を備える面の裏面に設けられ、前記太陽電池により発電された電力により発光する発光体をさらに備え、前記シート部は、前記電源装置の側面のうち、対向する位置にある２つの側面にそれぞれに配置され、前記粘着領域は、前記シート部のうち、前記太陽電池の備える面と同じ面側に配置されている。
【０００８】
好適には、前記電源装置は、前記シート部に配置され、該シート部のうち前記太陽電池の備える面と同じ面側に配置された第２の太陽電池をさらに備え、前記粘着領域は、前記シート部の周縁の少なくとも一部に配置されている。
【０００９】
好適には、前記シート部は、袋状であり、前記シート部の少なくとも一方の面における少なくとも一部が透光性のある領域である第２透光性領域をさらに有し、前記第２透光性領域は、前記シート部の内部に収納した前記第２の太陽電池側に配置されている。
【００１０】
好適には、前記シート部は、前記粘着領域を備える面の裏面側に、粘着性の異なる第２の粘着領域をさらに備え、前記粘着領域、及び、前記第２の粘着領域は、再粘着と再剥離とが可能な粘着力を備え、前記粘着領域、または、前記第２の粘着領域のうち、前記発光体を備える面側に配置された前記第２の粘着領域の粘着性が高い。
【００１１】
好適には、前記シート部は、前記電源装置の幅の０．５倍から２倍の大きさに形成されている。
【００１２】
好適には、前記シート部に設けられ、該シート部を端部で折り返した状態で着脱自在に固定する係止部と、前記シート部に設けられ、前記発電装置を既定の位置に取り付ける取付部とを有する。
【００１３】
また、本発明に係る固定具は、収納ケースと、前記収納ケースの対向する２つの側面それぞれに端部を固定された２つのシート部と、前記収納ケースの面における少なくとも一部が透光性のある領域である透光性領域と、前記シート部の一方の面に設けられた前記粘着領域とを有する。
【００１４】
好適には、前記シート部の面における少なくとも一部が透光性のある領域である第２透光性領域をさらに有し、前記粘着領域は、再粘着と再剥離とが可能な粘着力を備え、前記粘着領域は、前記シート部の周縁の少なくとも一部、または、前記透光性領域と第２透光性領域との少なくとも一方における周縁の少なくとも一部に配置されている。
【００１５】
また、本発明に係る照明方法は、板状であり、一方の面に太陽電池と、前記太陽電池を備える面の裏面に前記太陽電池により発電された電力により発光する発光体とを備える電源装置と、前記電源装置の対向する位置にある側面それぞれに端部を固定されたシート部と、前記シート部の一方の面に設けられた粘着領域と、前記粘着領域を備える面の裏面側に第２の粘着領域とを有する発電装置における、前記太陽電池を備える面が受光するよう該粘着領域または該第２の粘着領域のどちらか一方を設置面に粘着固定させるステップと、粘着固定した前記発電装置を裏返し、粘着固定した領域の裏面側にある領域を前記設置面に再び粘着固定させるステップとを有する。
【発明の効果】
【００１６】
本発明によれば、再粘着及び再剥離可能に固定することができる。
【図面の簡単な説明】
【００１７】
【図１】実施形態の概要を説明する図である。
【図２】実施例１における発電装置１の構成を説明する図である。
【図３】電源装置３の構成及び大きさを説明する図である。
【図４】実施例１における発電装置１の配置例を説明する斜視図である。
【図５】実施例２における発電装置１の構成を説明する図である。
【図６】実施例３における発電装置１の構成を例示する斜視図である。
【図７】図６におけるシート部６３の構成を模式的に例示する断面図である。
【図８】実施例３における固定具６の大きさを説明する斜視図である。
【図９】実施例３における発電装置１の照明方法（Ｓ１０）を説明するフローチャートである。
【図１０】実施例３における照明方法（Ｓ１０）を例示する斜視図である。
【図１１】実施例３における発電装置１を容器に取り付けた状態を例示する斜視図である。
【図１２】実施例４における発電装置１の構成を説明する図である。
【図１３】実施例４における発電装置１の携行方法を例示する図である。
【００１８】
以下、本発明の実施形態を、図面を参照して説明する。本明細書及び図面において、実質的に同一の機能、構成を有する要素については、同一の符号を付することにより重複説明を省略し、また本発明に直接関係のない要素は図示を省略する。
【００１９】
まず、本実施形態の概要を説明する。
図１は、実施形態の概要を説明する図である。
図１に例示するように、発電装置１は、電源装置３と固定具６とで構成されている。
電源装置３は、板状であり、一方の面に太陽電池３０を備え、他方の面に発光部３２を備えている。電源装置３は、太陽電池３０と発光部３２とは電気的に接続されており、太陽電池３０により発電された電力で発光部３２が発光するよう構成されている。
また、固定具６は、ケース部６０、粘着面６２、及び、シート部６３を含み構成されている。固定具６は、電源装置３を収納するケース部６０の対向する２つの側面それぞれにシート部６３の端部を固定されており、このシート部６３の一方の面に再粘着、及び、再剥離可能な粘着面６２を備えている。また、固定具６は、ケース部６０の面部分に透光性のある領域を備えており、太陽電池３０と発光部３２との配置される部分に設けられている。
【００２０】
図１に例示するように、使用者は、電源装置３の太陽電池３０と、固定具６の粘着面６２とが同じ面となるようケース部６０の内部に電源装置３を収納する。次に、使用者は、ケース部６０の内部に電源装置３を収納された状態で、設置面である例えば、窓等のガラス面に粘着面６２を粘着固定する。
発電装置１は、使用者により、太陽電池３０をガラス面に向けて粘着固定されたことにより、窓から差し込む光を受けて太陽電池３０が発電し、発電された電力により発光部３２を発光させることができる。
【００２１】
このように、発電装置１は、電源装置３の対向する位置にある２つの側面それぞれに粘着面６２を備えることにより、垂直な面に対して剥がれることなく粘着固定することができる。また、発電装置１は、シート部６３に再粘着、及び、再剥離可能な粘着面６２を備えているため、様々な場所に貼ったり剥がしたりすることができる。
【００２２】
［実施例１］
実施例１に係る発電装置１の構成を説明する。
図２は、実施例１における発電装置１の構成及び大きさを説明する図であり、図２（Ａ）は、発電装置１の太陽電池３０側を例示する図であり、図２（Ｂ）は、発電装置１の発光部３２側を例示する図である。
図２（Ａ）及び図２（Ｂ）に例示するように、発電装置１は、電源装置３と、固定具６とで構成されている。なお、発電装置１は、本発明に係る発電装置の一例である。
【００２３】
［電源装置３］
電源装置３は、本発明に係る電源装置の一例である。
図３は、電源装置３の構成を説明する図であり、図３（Ａ）は、電源装置３の太陽電池３０側を例示する斜視図であり、図３（Ｂ）は、電源装置３の発光部３２側を例示する斜視図である。
電源装置３は、太陽電池３０、発光部３２、コネクタ３４、及び、蓄電池３６を含み構成されている。電源装置３は、筐体の形状が例えば板状であり、一方の面に太陽電池３０を備え、太陽電池３０を備える面の裏面に発光部３２を備えている。
また、電源装置３は、筐体が例えば、合成樹脂で構成され、具体的には、ＡＳＢ樹脂で構成されている。また、電源装置３は、重量が例えば、２００ｇ以下であり、具体的には、１５０ｇ以下であることが好ましい。また、電源装置３は、保護機能として防水機能または防塵機能の少なくとも一方を備えてもよく、例えば、ＪＩＳ規格又はＩＥＣ規格でＩＰＸ７程度の防水機能を備えることも可能である。
【００２４】
（太陽電池３０）
図１（Ａ）に例示するように、太陽電池３０は、板状に構成された電源装置３の一方の面に配置されており、光エネルギーを電気に変換するパネル体である。太陽電池３０は、最大出力電力が例えば、０．５Ｗであるパネル体である。
また、太陽電池３０は、蓄電池３６（不図示）と電気的に接続されている。そのため、電源装置３は、太陽電池３０により光エネルギーから変換された電気を、蓄電池３６に蓄えることができる。
【００２５】
（発光部３２）
発光部３２は、本発明に係る発光体の一例である。
図１（Ｂ）に例示するように、発光部３２は、板状に構成された電源装置３の太陽電池３０を備える面の裏面側に配置されている。発光部３２は、例えば、電球、液晶画面、エレクトロルミネセンス（Ｅｌｅｃｔｒｏｌｕｍｉｎｅｓｃｅｎｃｅ：ＥＬ）、及び、ネオンサインである。本実施例の発光部３２は、ＥＬの一例である発光ダイオード（ＬＥＤ）を用いた場合を一具体例として説明する。発光部３２は、電源装置３のうち、太陽電池３０の裏面側に複数配置されている。発光部３２は、例えば、１５ルーメン（ｌｍ）〜９０ルーメン（ｌｍ）の範囲の明るさであり、具体的には、４０ルーメンの明るさと、９０ルーメンの明るさとに適宜に切り替えることができる。また、発光部３２は、１５ルーメン（ｌｍ）〜９０ルーメン（ｌｍ）の範囲で適宜に明るさを調節してもよいし、点滅発光することもできる。
また、発光部３２は、蓄電池３６と電気的に接続されている。そのため、電源装置３は、蓄電池３６を介して、太陽電池３０により変換された電気を発光部３２に供給し、発光部３２を発光させることができる。なお、発光部３２は、非搭載とすることもできる。
【００２６】
（コネクタ３４）
図１（Ａ）及び図１（Ｂ）に例示するように、コネクタ３４は、電源装置３の側面に設けられ、電源装置３と、他の電子機器とを電気的に接続するための接続用部品である。電源装置３は、コネクタ３４を介して、他の電子機器と電気的に接続することにより、他の電子機器に太陽電池３０に変換された電気を供給することができる。
【００２７】
（蓄電池３６）
蓄電池３６は、電気を蓄えることができる電池であり、放電と充電とを繰り返し行うことができる。蓄電池３６は、太陽電池３０、発光部３２、及び、コネクタ３４と電気的に接続し、電源装置３の筐体内部に格納されている。
蓄電池３６は、例えば、ポリマー電池であり、具体的には、リチウムポリマー電池である。蓄電池３６は、例えば、電圧が３Ｖ〜７Ｖであり、好ましくは、電圧が５Ｖである。また、蓄電池３６の電池容量は、例えば、８００ｍＡｈ〜４０００ｍＡｈである。また、蓄電池３６は、過充電防止機能、及び、過放電防止機能により管理されることが好ましい。
また、蓄電池３６は、例えば、コネクタ３４を介して、外部電源から充電を行ってもよいし、無接点充電により充電されてもよい。
【００２８】
このように、電源装置３は、太陽電池３０、発光部３２、コネクタ３４、及び、蓄電池３６を含み構成されている。そのため、電源装置３は、太陽電池３０により光エネルギーから変換された電力を蓄電池３６に蓄えることにより、電源として利用することができる。また、電源装置３は、時計機能、温度湿度計機能、又は、方位磁針機能を追加することもできる。また、電源装置３は、ＡＣアダプタを接続可能なコネクタ部分（不図示）を保持してもよい。
【００２９】
次に、電源装置３の大きさを説明する。なお、本実施形態に示す寸法、材料、その他具体的な数値等は、発明の理解を容易とするための例示にすぎず、特に断る場合を除き、本発明を限定するものではない。
図３（Ｂ）に例示するように、電源装置３の幅寸法Ａ１は、例えば、４ｃｍ〜６ｃｍであり、具体的には、約６ｃｍである。また、電源装置３の高さ寸法Ａ２が例えば、１０ｃｍ〜１５ｃｍであり、具体的には、約１１．７ｃｍである。また、電源装置３の厚さ寸法Ａ３が例えば、０．５ｃｍ〜２.５ｃｍであり、本実施例では、約１.５ｃｍである。このように、電源装置３は、上記寸法で構成されている。
【００３０】
［固定具６］
固定具６は、本発明に係る固定具の一例である。
図２（Ａ）及び図２（Ｂ）に例示するように、固定具６は、ケース部６０、シート部６３、粘着面６２、収納口６８、及び、吊下げ部６９を含み構成されている。
（ケース部６０）
ケース部６０は、本発明に係る収納ケースの一例である。
ケース部６０は、例えば、人造皮革や合成樹脂素材で構成されている。ケース部６０は、合成樹脂素材で構成される場合、具体的には、熱可塑性ポリウレタン樹脂である。ケース部６０は、袋状に形成され、ケース部６０の内部に収納するための収納口６８を備えている。ケース部６０は、電源装置３を収納することのできる大きさに形成されている。
また、ケース部６０は、ケース部６０の側面部分にシート部６３を配置されている。ケース部６０は、対向する位置にある側面部分それぞれにシート部６３の端部を固定されている。
【００３１】
また、ケース部６０は、平面部分のうち、少なくとも一部が透光性のある領域である透光部６１を含んで構成されている。具体的には、透光部６１は、透明透光部６１ａと、切込部６１ｂとを含んでいる。
図２（Ａ）に例示するように、透明透光部６１ａは、ケース部６０の両面のうち、一方の面側に設けられ、ケース部６０に納めた状態の電源装置３の太陽電池３０にあたる領域に構成されている透光性のある領域である。透明透光部６１ａは、透明な領域であり、効率的に太陽電池３０に光を供給することができる。
また、図２（Ｂ）に例示するように、切込部６１ｂは、ケース部６０に納めた状態の電源装置３の発光部３２にあたる領域に設けられた透光性のある領域である。具体的には、切込部６１ｂは、ケース部６０の両面のうち透明透光部６１ａの設けられた面の裏面側に設けられた開口である。また、切込部６１ｂは、開口部分に透光性のあるシート材を取り付けて、透明または半透明な領域として構成することもできる。
また、ケース部６０は、電源装置３をケース部６０の内部に収納するための収納口６８を配置されている。
【００３２】
（シート部６３）
シート部６３は、本発明に係るシート部の一例である。
図２（Ａ）に例示するように、シート部６３は、シート状に形成され、ケース部６０の側面のうち、対向する位置にある側面に端部を固定した状態でそれぞれ配置されている。シート部６３は、ケース部６０の対向する２つの側面それぞれに配置され、端部で固定された部分（接続部分）で折り返し可能に接続されている。
また、シート部６３は、シート部６３のシート面にのうち、一方の面に粘着領域である粘着面６２を設けられている。シート部６３は、例えば、電源装置３の太陽電池３０の備える面と同じ面に配置されている。
【００３３】
（粘着面６２）
粘着面６２は、本発明に係る粘着領域の一例である。
図２（Ａ）に例示するように、粘着面６２は、シート部６３の一方の面に設けられている。具体的には、粘着面６２は、例えば、シート部６３のうち、電源装置３に含まれる太陽電池３０の面と同じ面側に配置されている。言い換えると、粘着面６２は、シート部６３のうち、透明透光部６１ａの配置された面側に配置されている。また、粘着面６２は、シート部６３に配置する場合を具体的に説明するが、ケース部６０にも配置してもよく、適宜に配置することができる。
また、粘着面６２は、例えば、合成樹脂で形成され、具体的には、ウレタン系の接着剤を配置した粘着面である。粘着面６２は、再粘着と再剥離とが可能な粘着力を備えており、発電装置１を窓等に粘着固定した状態を維持することのできる粘着力が好ましい。
【００３４】
（収納口６８）
図２（Ａ）及び図２（Ｂ）に例示するように、収納口６８は、例えば、ケース部６０の端部に配置されている。収納口６８は、電源装置３をケース部６０の内部に収納するための口であり、電源装置３を通すことのできる大きさである。
また、収納口６８は、収納口６８を塞ぐための留め具７０を設けられ、留め具７０により収納口６８を塞ぐことで、収納した電源装置３の飛び出しを防止する。留め具７０は、例えば、ファスナーやホックである。
【００３５】
（吊下げ部６９）
吊下げ部６９は、固定具６を吊下げて固定するための穴又は輪である。吊下げ部６９は、シート部６３により固定具６を固定できない場所であっても、フック等に引っ掛けることにより、固定具６を吊下げて固定することができる。
このように、固定具６は、ケース部６０、シート部６３、収納口６８、及び、吊下げ部６９を含み構成されている。
【００３６】
図４は、実施例１における発電装置１の配置例を説明する斜視図である。
図４に例示するように、発電装置１は、ケース部６０の側面に配置された２つのシート部６３を、ケース部６０とシート部６３との接続部分で折り曲げ、三角柱状に配置することにより、発光部３２を既定の位置で固定した状態で設置面に配置することができる。また、発電装置１は、面ファスナーを用いて、ケース部６０とシート部６３とを折り曲げた状態を固定し、発光部３２の配置角度を保持するよう構成してもよい。
【００３７】
次に、実施例２における発電装置１の構成を説明する。
［実施例２］
実施例２における発電装置１は、ケース部６０だけでなく、シート部６３にも太陽電池を配置する場合を説明する。
図５は、実施例２における発電装置１の太陽電池３０側の構成を説明する図であり、図５（Ａ）は、ケース部６０及びシート部６３の周縁部分に粘着面６２を配置した場合を説明する図であり、図５（Ｂ）は、透明透光部６１ａ及び透明透光部６１ｃの周縁部分に粘着面６２を配置した場合を説明する図である。
【００３８】
［電源装置３］
（太陽電池４０）
太陽電池４０は、本発明に係る第２の太陽電池の一例である。
図５（Ａ）及び図５（Ｂ）に例示するように、太陽電池４０は、例えば、太陽電池パネルである。太陽電池４０は、接続ケーブル３６により、電源装置３と電気的に接続され、電源装置３に発電した電力を供給することができる。太陽電池４０は、太陽電池３０と同じ面を向けて、シート部６３の内部に収納されている。
また、太陽電池４０は、例えば、太陽電池３０を備える電源装置３と同様な構成を備える装置であってもよい。太陽電池４０は、電源装置３と同様な構成を備える装置である場合、シート部６３は、シート部６３の他方の面（透明透光部６１ｃの反対の面）に切込部６１ｂと同様の切込部６１ｄ（不図示）を配置してもよい。
【００３９】
［固定具６］
（シート部６３）
図５（Ａ）及び図５（Ｂ）に例示するように、固定具６におけるシート部６３は、ケース部６０と同様に袋状に形成されており、一方の面に透明透光部６１ｃを配置されている。透明透光部６１ｃは、透明透光部６１ａと同様の透光性の領域であり、透明な素材である。
シート部６３は、ケース部６０における透明透光部６１ａを配置された面と同じ面側に透明透光部６１ｃを配置されている。また、シート部６３は、袋状の内部に太陽電池４０を配置でき、太陽電池４０の配置された面に透明透光部６１ｃを配置されている。シート部６３は、透明透光部６１ｃを太陽電池４０と同じ面側に配置されていることにより、太陽電池４０に受光させることができる。シート部６３は、ケース部６０と同様に、シート部６３の端部に収納口６８を設けられ、留め具７０により収納口６８を塞ぐことができる。
なお、透明透光部６１ｃは、本発明に係る第２透光性領域の一例である。
【００４０】
（粘着面６２）
図５（Ａ）に例示するように、粘着面６２は、シート部６３の周縁の少なくとも一部に配置されている。具体的には、粘着面６２は、シート部６３の周縁の一部と、ケース部６０の周縁の一部とに配置されている。粘着面６２は、シート部６３の中央部分に配置された透明透光部６１ｃと、ケース部６０の中央部分に配置された透明透光部６１ａとを塞がない位置として、シート部６３とケース部６０との周縁の一部に配置されている。
また、図５（Ｂ）に例示するように、粘着面６２は、シート部６３に配置された透明透光部６１ｃと、ケース部６０の透明透光部６１ａとの少なくとも一方における周縁に配置されている。つまり、粘着面６２は、透明透光部６１ａ、及び、透明透光部６１ｃを塞がない位置に配置されている。粘着面６２は、透明透光部６１ａ、及び、透明透光部６１ｃを塞がない位置に配置されることにより、太陽電池３０及び太陽電池４０に受光させることができる。
このように、発電装置１は、シート部６３にも太陽電池を配置する場合に、シート部６３面うち、太陽電池３０に受光させる領域である透明透光部６１ａと、太陽電池４０に受光させる領域である透明透光部６１ｃを塞がない位置に粘着面６２を配置されている。
【００４１】
次に、実施例３における発電装置１の構成を説明する。
［実施例３］
実施例３における発電装置１は、固定具６におけるシート部６３の両面に粘着面を備えた場合を説明する。
図６は、発電装置１の構成を例示する斜視図であり、図６（Ａ）は、発電装置１の太陽電池３０側を例示する斜視図であり、図６（Ｂ）は、発電装置１の発光部３２側を例示する斜視図である。
図６（Ａ）及び図６（Ｂ）に例示するように、発電装置１は、電源装置３と、固定具６とで構成されている。なお、発電装置１は、本発明に係る発電装置の一例である。
【００４２】
［固定具６］  
固定具６は、本発明に係る固定具の一例である。
図６（Ａ）及び図６（Ｂ）に例示するように、固定具６は、ケース部６０、シート部６３、基材シート６４、低粘着面６５、及び、高粘着面６６を含み構成されている。
（ケース部６０）
ケース部６０は、本発明に係る収納ケースの一例である。
ケース部６０は、例えば、合成樹脂素材で構成され、具体的には、熱可塑性ポリウレタン樹脂である。ケース部６０は、電源装置３を収納するための容器体であり、電源装置３を収納することのできる大きさに形成されている。
また、ケース部６０は、ケース部６０の側面にシート部６３を配置されており、ケース部６０の側面のうち、対向する位置にある側面にシート部６３の端部を固定された状態で、それぞれ配置されている。
また、ケース部６０は、例えば、ケース部６０の両面における周縁部分に粘着剤を配置した粘着面（不図示）をさらに配置してもよい。具体的には、ケース部６０は、合成樹脂素材であるウレタン系粘着剤であるアクリルフォームを配置した粘着面をケース部６０の両面の周縁部分に配置することにより、両面における固定具６の粘着性を向上させることができる。
【００４３】
（シート部６３）
図７は、図６に例示するシート部６３の構成を模式的に例示する断面図である。
図６に例示するように、シート部６３は、シート状に形成され、ケース部６０の側面のうち、対向する位置にある側面に端部を固定した状態でそれぞれ配置されている。シート部６３は、ケース部６０の対向する２つの側面それぞれに配置されることにより、例えば、円筒状の設置面に対して巻きつけるように発電装置１を固定することができる。
また、シート部６３は、両面に粘着領域を設けられ、それぞれの粘着性が異なっている。なお、本実施例のシート部６３は、両面に粘着領域を設けた場合を具体的に説明するが、接着性のある領域を設けてもよい。なお、シート部６３は、本発明に係るシート部の一例である。
また、図７に例示するように、シート部６３は、基材シート６４、低粘着面６５、及び、高粘着面６６を含み構成されている。シート部６３は、基材シート６４の一方の面に低粘着面６５を、他方の面（低粘着面６５の裏面）に高粘着面６６を設けられている。なお、本実施例のシート部６３は、電源装置３の太陽電池３０側にあたる面に低粘着面６５を配置し、電源装置３の発光部３２側にあたる面に高粘着面６６を配置する場合を一具体例として説明する。
また、シート部６３は、シート状に形成されているため、曲げることができる。
【００４４】
（基材シート６４）
基材シート６４は、例えば、合成樹脂素材で構成され、具体的には、塩化ビニル樹脂である。基材シート６４は、シート状に形成され、基材シート６４の一方の面に低粘着面６５を、他方の面に高粘着面６６を設けられている。
【００４５】
（低粘着面６５）
低粘着面６５は、例えば、合成樹脂素材で構成され、具体的には、アクリルフォームである。
低粘着面６５は、基材シート６４の一方の面である電源装置３の太陽電池３０側にあたる面に配置された粘着性を備える領域である。低粘着面６５は、高粘着面６６の粘着性より低い粘着性を備えている。低粘着面６５は、触覚的に表現すると、高粘着面６６に比べて、べたつかないよう形成されている。低粘着面６５は、電源装置３の太陽電池３０側にあたる面に塗布されることにより、シート部６３を折りたたんだ場合であっても、太陽電池３０の面を汚すことなく折りたたむことができる。
なお、低粘着面６５は、本発明に係る粘着領域の一例である。
【００４６】
（高粘着面６６）
高粘着面６６は、低粘着面６５と同様に、例えば、合成樹脂素材で構成され、具体的には、アクリルフォームある。
高粘着面６６は、基材シート６４の他方の面である低粘着面６５の裏面に配置された粘着性を備える領域である。高粘着面６６は、低粘着面６５の粘着性より高い粘着性を備えている。高粘着面６６は、触覚的に表現すると、低粘着面６５の粘着性より高い粘着性を備えるため、低粘着面６５に比べて、べたつくよう形成されている。高粘着面６６は、低粘着面６５の裏面である発光部３２側に配置されることにより、例えば、室内の壁面に粘着固定する場合において、室内に配置された光源体に対して、太陽電池３０側を向けた状態で発電装置１を粘着固定することができる。
なお、高粘着面６６は、本発明に係る第２粘着領域の一例である。
【００４７】
次に、固定具６の大きさを説明する。なお、本実施形態に示す寸法、材料、その他具体的な数値等は、発明の理解を容易とするための例示にすぎず、特に断る場合を除き、本発明を限定するものではない。
図８は、固定具６の大きさを説明する斜視図である。
図８に例示するように、固定具６は、幅寸法Ｂ０が例えば、１３ｃｍ〜３０ｃｍであり、具体的には、約２９ｃｍである。また、高さ寸法Ｂ１が例えば、１０ｃｍ〜１６ｃｍであり、具体的には、約１５ｃｍである。
また、シート部６３は、幅寸法Ｂ２が例えば、４ｃｍ〜１２ｃｍであり、具体的には、約１０ｃｍである。シート部６３の幅寸法Ｂ２は、電源装置３の幅寸法Ａ１の大きさの０．５倍から１．５倍の大きさに形成されている。また、シート部６３は、固定場所に応じて幅寸法Ｂ２の大きさをより大きくすることも可能である。このように、固定具６は、上記寸法で構成されている。
このように、固定具６は、ケース部６０、シート部６３、基材シート６４、低粘着面６５、及び、高粘着面６６を含み構成されている
【００４８】
次に、発電装置１の照明方法を図９、図１０、及び、図１１を用いて説明する。
図９は、実施例３における発電装置１の照明方法（Ｓ１０）を説明するフローチャートである。
また、図１０は、実施例３における照明方法（Ｓ１０）を例示する斜視図であり、図１０（Ａ）は、発電装置１を壁面に取り付けた状態を例示する斜視図であり、図９（Ｂ）は、発電装置１をヘルメットに取り付けた状態を例示する斜視図である。
【００４９】
図９に例示するように、ステップ１００（Ｓ１００）において、使用者は、発電装置１に含まれる太陽電池３０に光を当てるよう設置面に粘着固定する。
図１０（Ａ）に例示するように、使用者は、室内において、電源装置３の発光体３２を壁面に向けた状態で、設置面である壁面に発電装置１を粘着固定する。このとき、固定具６は、低粘着面６５の裏面にある高粘着面６６を壁面に粘着させて、電源装置３を固定している。固定具６は、シート部６３の粘着性の高い高粘着面６６を壁面に粘着させることにより、例えば、ガラス面のような滑らかな面でない粘着固定しにくい設置面に対しても固定することが期待できる。
【００５０】
図９に例示するように、ステップ１０５（Ｓ１０５）において、使用者は、設置面である壁面から発電装置１を剥離する。
【００５１】
ステップ１１０（Ｓ１１０）において、使用者は、設置面から剥離した発電装置１を裏返し、再び設置面に粘着固定する。
図１０（Ｂ）に例示するように、使用者は、発電装置１は、例えば、設置面であるヘルメットの帽体部分に固定する。このとき、使用者は、固定具６におけるシート部６３をヘルメットの帽体部分の形状に合わせて配置する。使用者は、ヘルメットの帽体部分に高粘着面６６の裏面にある低粘着面６５を粘着させて発電装置１を固定することにより、発光部３２の光を、例えばヘルメットの正面方向に向けて固定することができる。
【００５２】
図９に例示するように、ステップ１１０（Ｓ１１０）において、使用者は、発電装置１を設置面に粘着固定した後に、発光部３２を点灯させる。
このように、使用者は、発電装置１の一方の面を設置面に粘着固定した後に、発電装置１を設置面から剥離し、設置面に粘着固定した面の裏面側を再び設置面に粘着固定することにより、照明として利用することができる。
【００５３】
図１１は、実施例３における発電装置１を容器に取り付けた状態を例示する斜視図である。
図１１に例示するように、発電装置１は、ヘルメットの帽体だけでなく、例えばボトル状の容器に固定することもできる。固定具６は、シート部６３を変形させることができるシートであるため、シート部６３を容器の胴部分に巻きけて配置し、容器の胴部分に高粘着面６６の裏面にある低粘着面６５を粘着させて発電装置１を固定することができる。そのため、発電装置１は、ボトル状の容器に固定した状態で、発光部３２の光を既定の場所に向けて照射することができる。
【００５４】
次に、実施例４における発電装置１の構成を説明する。
［実施例４］
実施例４における発電装置１は、コンパクトに持ち運ぶための構成を備えた場合を説明する。
図１２は、実施例４における発電装置１の構成を説明する図であり、図１２（Ａ）は、発電装置１の太陽電池３０側を例示する斜視図であり、図１２（Ｂ）は、発電装置１の発光部３２側を例示する斜視図である。
図１２（Ａ）及び図１２（Ｂ）に例示するように、発電装置１は、電源装置３と、固定具６とで構成されている。なお、実施例４における電源装置３は、太陽電池３０のみを備えており、発光体３２を省く構成となっている。
また、固定具６は、面ファスナー９０、及び、取付リング９２を備えている。
【００５５】
（面ファスナー９０）
面ファスナー９０は、面ファスナー９０ａと、面ファスナー９０ｂとで構成されている。面ファスナー９０ａと、面ファスナー９０ｂシートとは、互いに接触することにより結束する。また、面ファスナー９０ａ、または、面ファスナー９０ｂの少なくとも一方を引き剥がすことにより結束を解くことができる。
実施例４の面ファスナー９０では、シート部６３に設けられている。具体的には、面ファスナー９０は、２つのシート部６３それぞれに設けられている。面ファスナー９０ａは、一方のシート部６３に設けられ、粘着面６２の設けられた面と同じ面に設けられている。また、面ファスナー９０ｂは、他方のシート部６３に設けられ、粘着面６２の設けられている面（面ファスナー９０ａの設けられている面）の裏面側に設けられている。これにより、面ファスナー９０ａ、および、面ファスナー９０ｂは、ケース部６０と接続した端部で折り返した２つのシート部６３を、互いに結束することができる。つまり、面ファスナー９０ａ、および、面ファスナー９０ｂは、２つのシート部６３を電源装置３における太陽電池３０側に折り返した場合であっても、２つのシート部６３を互いに接触することにより結束することができる。また、面ファスナー９０ａ、および、面ファスナー９０ｂは、２つのシート部６３を発光部３２側に折り返した場合であっても、２つのシート部６３を互いに接触することにより結束することができる。よって、発電装置１は、面ファスナー９０により、シート部６３を折りたたんだ状態を保持することができる。
なお、面ファスナー９０は、本発明に係る係止部の一例である。
【００５６】
（取付リング９２）
取付リング９２は、例えば、フック等に掛けることのできるリング体である。取付リング９２は、例えば、シート部６３に設けられ、シート部６３より一部がはみ出すような位置に取り付けられている。ここで、一部がはみ出すような位置とは、フック等に掛けることが可能な隙間を確保するよう設ける。取付リング９２は、シート部６３より一部がはみ出すような位置に設けることにより、面ファスナー９０を用いてシート部６３を収納した場合であっても既定の位置にあるフック等に掛けることができる。
なお、取付リング９２は、本発明に係る取付部の一例である。
【００５７】
次に、実施例４における発電装置１の携行方法を説明する。
図１３は、実施例４における発電装置１の携行方法を例示する図であり、図１３（Ａ）は、発電装置１をかばんの肩ベルトに取り付けた状態を例示する図であり、図１３（Ｂ）は、発電装置１をかばんに取り付けた状態を例示する図である。
図１３（Ａ）に例示するように、使用者は、発電装置１における２つのシート部６３を折り返し、面ファスナー９０を用いてシート部６３を固定する。このとき、使用者は、かばんの肩ベルトを挟み込んで、シート部６３を折り返す。このように、使用者は、発電装置１をコンパクトにした状態でかばんの肩ベルトに取り付けることができる。
【００５８】
また、図１３（Ｂ）に例示するように、使用者は、発電装置１における２つのシート部６３を折り返し、面ファスナー９０を用いてシート部６３を固定する。このとき、使用者は、取付リング９２がシート部６３より一部がはみ出すような位置に配置してからシート部６３を折り返し固定する。
次に、使用者は、かばんに設けられたたフックに、取付リング９２を掛ける。
このように、使用者は、発電装置１をコンパクトにした状態でかばんに取り付けることができる。
【００５９】
以上説明したように、本実施例１の発電装置１によれば、電源装置３の対向する位置にある２つの側面にそれぞれに配置されたシート部６３に配置された粘着面６２により、電源装置３の両側で設置面に固定することができるため、片側で固定する場合に比べてしっかり固定することが期待できる。また、発電装置１は、粘着面６２を太陽電池３０の備える面と同じ面側に配置することにより、設置面に太陽電池３０を粘着固定することができる。そのため、設置面が透明部材である場合、設置面から差込む光を受けて陽電池３０で発電しながら発光部３２を点灯させることができる。
【００６０】
また、本実施例２の発電装置１によれば、袋状であるシート部６３の内部に、太陽電池３０と同じ面側を向けて太陽電池４０を配置することにより、太陽電池の数を増やすことができるため発電量を増加させることができる。また、発電装置１は、シート部６３の周縁の少なくとも一部に粘着面６３を配置することにより、太陽電池３０及び太陽電池４０のパネル面を塞ぐことなく電源装置３の両側で設置面に固定することができる。
【００６１】
また、本実施例３の発電装置１によれば、シート部６３の一方の面である太陽電池３０側に低粘着面６５を備え、他方の面である発光部３２側に高粘着面６６を備えることにより、設置面の形状に合わせて粘着固定することができる。また、発電装置１は、シート部６３うち、発光部３２側に高粘着面６６を配置することにより、例えば、室内で発電する場合に、室内に配置された光源体に太陽電池３０を向けた状態で、発光部３２側の高粘着面６６を壁面に粘着固定して配置することができる。また、発電装置１は、シート部６３を折りたたむことにより、発光部３２側の高粘着面６６を収納する。これにより太陽電池３０を汚すことなく折りたたむことができる。
【００６２】
また、本実施例４の発電装置１によれば、シート部６３を折り返した状態で着脱自在に固定する面ファスナー９０をシート部６３に備えることにより、シート部６３をケース部６０とシート部６３との接続部分で折り返した状態で固定することができる。これにより、発電装置１は、シート部６３を収納することができるため、コンパクトにすることができる。さらに、発電装置１は、発電装置１を既定の位置に取り付ける取付リング９２を備えることにより、シート部６３を収納した状態で、かばんやベルト等に取り付けて携行することができる。
【００６３】
また、本実施例の発電装置１における固定具６によれば、電源装置３だけでなく、スマートフォン等のタブレット端末を収納してもよい。これにより、使用者は、タブレット端末を収納した固定具６を既定の場所に固定した状態で、例えばカメラ撮影等を行うことができる。
以上、本発明に係る実施形態について説明したが、これらに限定されるものではなく、発明の趣旨を逸脱しない範囲内において、種々の変更、追加等が可能である。
【符号の説明】
【００６４】
１      発電装置
３      電源装置
３０    太陽電池
３２    発光部
３４    コネクタ
３６    蓄電池
６      固定具
６０    ケース部
６１    透光部
６１ａ、６１ｃ  透明透光部
６１ｂ  切込部
６２    粘着面
６３    シート部
６４    基材シート
６５    低粘着面
６６    高粘着面
６８    収納口
６９    吊下げ穴
７０    留め具
９０    面ファスナー
９２    取付リング
【図１】
0006613436.tif 000002
【図２】
0006613436.tif 000003
【図３】
0006613436.tif 000004
【図４】
0006613436.tif 000005
【図５】
0006613436.tif 000006
【図６】
0006613436.tif 000007
【図７】
0006613436.tif 000008
【図８】
0006613436.tif 000009
【図９】
0006613436.tif 000010
【図１０】
0006613436.tif 000011
【図１１】
0006613436.tif 000012
【図１２】
0006613436.tif 000013
【図１３】
0006613436.tif 000014